(57)【要約】【課題】インバータ部とコネクタブロックとのシールおよびコネクタブロックと電線とのシールが容易になるインバータ一体型ＢＬＤＣモータを提供する。【解決手段】モータ１００に一側が結合し、内部が中空形成されて他側が開放して形成され、縁壁２３０の一部が開放した開放部２４０が形成され、中空の内部にＰＣＢ基板２１０が設けられるインバータハウジング２００と、インバータハウジングの開放した下側に結合し、インバータハウジングと接触する面をシールするように形成されるカバー３００と、インバータハウジングの開放部とカバーによって形成された空間に介在され、幅方向に電線貫通孔４４０が形成されて電線５００が貫通して挿入されたコネクタブロック４００と、コネクタブロックを貫通した電線の端部５０１に結合した電線側ターミナル５１０とを含む。【選択図】図３
2018027005.tif 000002
【特許請求の範囲】
【請求項１】
モータ（１００）に一側が結合し、内部が中空形成されて他側が開放して形成され、縁壁（２３０）の一部が開放した開放部（２４０）が形成され、中空の内部にＰＣＢ基板（２１０）が設けられるインバータハウジング（２００）と、
前記インバータハウジング（２００）の開放した下側に結合し、インバータハウジング（２００）と接触する面をシールするように形成されるカバー（３００）と、
前記インバータハウジング（２００）の開放部（２４０）とカバー（３００）によって形成された空間に介在され、幅方向に電線貫通孔（４４０）が形成されて電線（５００）が貫通して挿入されたコネクタブロック（４００）と、
前記コネクタブロック（４００）を貫通した電線（５００）の端部（５０１）に結合した電線側ターミナル（５１０）と、を含むことを特徴とするインバータ一体型ＢＬＤＣモータ。
【請求項２】
前記コネクタブロック（４００）の長さ方向の両面および高さ方向の両面を囲むようにコネクタブロック（４００）に接合して形成され、電線（５００）の端部（５０１）が引き出されたコネクタブロック（４００）の幅方向の内側面および電線（５００）の端部（５０１）に接合して形成されたシール部（６００）をさらに含み、
前記シール部（６００）によってコネクタブロック（４００）の高さ方向および長さ方向の周縁とインバータハウジング（２００）およびカバー（３００）の内側面とがシールされ、電線貫通孔（４４０）を貫通して結合する電線（５００）とコネクタブロック（４００）とがシールされるように形成されていることを特徴とする請求項１に記載のインバータ一体型ＢＬＤＣモータ。
【請求項３】
前記シール部（６００）は、
前記コネクタブロック（４００）の長さ方向の両面および高さ方向の両面を囲むようにコネクタブロック（４００）に接合して形成され、且つ前記コネクタブロック（４００）の長さおよび幅よりも大きくまたは同じく形成されている第１のシール部（６１０）と、
前記電線（５００）の端部（５０１）が引き出されたコネクタブロック（４００）の幅方向の内側面および電線（５００）の端部（５０１）に接合して形成されている第２のシール部（６２０）と、を含むことを特徴とする請求項２に記載のインバータ一体型ＢＬＤＣモータ。
【請求項４】
前記コネクタブロック（４００）は、幅方向および長さ方向にフランジ（４１５）が突出形成され、第１のシール部（６１０）がフランジ（４１５）の幅方向の一側面に接合して形成されていることを特徴とする請求項３に記載のインバータ一体型ＢＬＤＣモータ。
【請求項５】
前記インバータハウジング（２００）は、内側面に凹状にガイド溝（２５０）が形成され、前記コネクタブロック（４００）のフランジ（４１５）および第１のシール部（６１０）がガイド溝（２５０）に挿入されて載置されていることを特徴とする請求項４に記載のインバータ一体型ＢＬＤＣモータ。
【請求項６】
前記インバータハウジング（２００）が、開放部（２４０）が形成された長さ方向の両側の縁壁の端部（２３２）の間にコネクタブロック（４００）の組立部（４１０）が挿入されて結合し、
前記インバータハウジング（２００）の縁壁（２３０）に沿って結合溝（２３１）が形成され、前記コネクタブロック（４００）の組立部（４１０）には結合溝（２３１）に連結されるシール材塗布溝（４１３）が形成され、前記カバー（３００）の縁壁（３１０）に沿って突出部（３１１）が形成され、前記突出部（３１１）が、結合溝（２３１）およびシール材塗布溝（４１３）に挿入されて結合していることを特徴とする請求項１に記載のインバータ一体型ＢＬＤＣモータ。
【請求項７】
前記シール部（６００）は、インサート射出または塗布により形成されるか、Ｏリングにより形成されていることを特徴とする請求項２に記載のインバータ一体型ＢＬＤＣモータ。
【請求項８】
前記結合溝（２３１）およびシール材塗布溝（４１３）にはシール材（６３０）が充填され、前記結合溝（２３１）と突出部（３１１）とが、および前記シール材塗布溝（４１３）と突出部（３１１）とがシールされていることを特徴とする請求項６に記載のインバータ一体型ＢＬＤＣモータ。
【請求項９】
前記コネクタブロック（４００）は、組立部（４１０）から幅方向にインバータハウジング（２００）の内側方向に閉塞板（４２０）が形成され、且つ閉塞板（４２０）は、電線貫通孔（４４０）を通して幅方向の内側に引き出された電線（５００）の端部（５０１）を囲むように形成されて内側に空間部（４３０）が形成され、
前記閉塞板（４２０）を通すように電線側ターミナル（５１０）が結合し、前記空間部（４３０）において電線（５００）の端部（５０１）と電線側ターミナル（５１０）が結合していることを特徴とする請求項１に記載のインバータ一体型ＢＬＤＣモータ。
【請求項１０】
前記コネクタブロック（４００）の空間部（４３０）に、充填により第２のシール部（６２０）が形成されていることを特徴とする請求項９に記載のインバータ一体型ＢＬＤＣモータ。
【請求項１１】
前記インバータハウジング（２００）にはブロック締結部（２２０）が形成され、前記コネクタブロック（４００）には結合部（４２１）が形成され、締結手段（４２２）によって前記ブロック締結部（２２０）に結合部（４２１）が締結され固定されていることを特徴とする請求項１０に記載のインバータ一体型ＢＬＤＣモータ。
【請求項１２】
前記インバータハウジング（２００）の内部に設けられたＰＣＢ基板（２１０）に基板側ターミナル（２１１）が形成され、前記基板側ターミナル（２１１）と電線側ターミナル（５１０）が結合していることを特徴とする請求項９に記載のインバータ一体型ＢＬＤＣモータ。
【請求項１３】
前記基板側ターミナル（２１１）の端部および電線側ターミナル（５１０）の端部が対向するように上側に折り曲げられ、折り曲げられた折り曲げ部（２１２、５１１）が互いに面接触して結合していることを特徴とする請求項１２に記載のインバータ一体型ＢＬＤＣモータ。
【請求項１４】
前記インバータハウジング（２００）の内部に設けられたＰＣＢ基板（２１０）に基板側ＰＣＢターミナル（２１１ａ）が形成され、前記モータ（１００）の内部に設けられたステータ（１１０）には三相ターミナル（１２０）が形成され、
前記ステータ（１１０）の三相ターミナル（１２０）がインバータハウジング（２００）およびＰＣＢ基板（２１０）を貫通して、前記基板側ＰＣＢターミナル（２１１ａ）と三相ターミナル（１２０）が互いに面接触して結合していることを特徴とする請求項１に記載のインバータ一体型ＢＬＤＣモータ。
【発明の詳細な説明】
【技術分野】
【０００１】
本発明は、インバータ一体型ＢＬＤＣモータに係り、より詳しくはインバータ部に連結される電線との水密のためにコネクタブロックを形成し、且つインバータ部とコネクタブロックとのシールおよびコネクタブロックと電線とのシールを容易にすることにより、水密構造を形成するための部品を単純化することができるインバータ一体型ＢＬＤＣモータに関する。
【背景技術】
【０００２】
ＢＬＤＣ（Ｂｒｕｓｈｌｅｓｓ  ｄｉｒｅｃｔ  ｃｕｒｒｅｎｔ）モータは、既存の直流モータが有する欠点である摩擦および摩耗を防止することができ、相対的に効率が高いことから、近年、ハイブリッド自動車において冷却ファン回転用モータとしてＢＬＤＣモータを適用する傾向にある。
【０００３】
かかるＢＬＤＣモータは、ＤＣモータからブラッシュと整流子を除去し、電子的な整流ツールを設置したモータである。
【０００４】
また、従来の自動車用低電圧冷却ファンのＢＬＤＣモータアセンブリは、モータ部とインバータ部とが一体型に構成され、インバータ一体型ＢＬＤＣモータに形成される。この際、図１のように、モータ部１０の下側にインバータハウジング２１が結合し、インバータハウジング２１の下側にカバー２２が結合して、インバータハウジング２１とカバー２２により形成された内部空間にＰＣＢ（Ｐｒｉｎｔｅｄ  Ｃｉｒｃｕｉｔ  Ｂｏａｒｄ）基板が設けられることでインバータ部２０が形成される。また、インバータ部２０の一側には、内部のＰＣＢ基板および外部インバータ制御部との電源線および通信線の連結のためのコネクタブロック組立部２３が形成され、コネクタブロック組立部２３には、内部と外部を連結する貫通孔２４が形成されている。また、コネクタブロック３０は、一面から突出した連通管３１が形成されて連通管３１が貫通孔２４に挿入されるように、コネクタブロック３０がコネクタブロック組立部２３に締結手段などを用いて結合する。この際、連通管３１の外側にはＯリングなどのコネクタシールゴム４０が嵌合した状態で連通管３１が貫通孔２４に挿入され、連通管３１と貫通孔２４とがシールされるように形成される。また、電線が、連通管３１および貫通孔２４を通してインバータ部２０の内部のＰＣＢ基板に連結され、電線と連通管３１の内周面とがシールされるようにワイヤシールなどのシールゴムが使用される。
【０００５】
すなわち、従来のインバータ一体型ＢＬＤＣモータは、インバータ部２０とコネクタブロック３０との水密およびコネクタブロック３０と電線との水密のために複数のシールゴムが使用されることから、コネクタブロックおよびシールゴムなどを含むコネクタブロックパッケージの構造が複雑となり、そのため、部品の生産工程および組立工程が複雑となり、製造コストが上がるという欠点がある。
【先行技術文献】
【特許文献】
【０００６】
【特許文献１】特開２００５‐１１７７０８号公報（２００５年４月２８日）
【発明の概要】
【発明が解決しようとする課題】
【０００７】
本発明は、上述の問題点を解決するために導き出されたものであり、本発明の目的は、インバータ部に連結される電線との水密のためにコネクタブロックを形成し、且つ水密構造を形成するための部品を単純化することで、インバータ部とコネクタブロックとのシールおよびコネクタブロックと電線とのシールが容易になるインバータ一体型ＢＬＤＣモータを提供することにある。
【課題を解決するための手段】
【０００８】
上記目的を達成するための本発明のインバータ一体型ＢＬＤＣモータ１０００は、モータ１００に一側が結合し、内部が中空形成されて他側が開放して形成され、縁壁２３０の一部が開放した開放部２４０が形成され、中空の内部にＰＣＢ基板２１０が設けられるインバータハウジング２００と、前記インバータハウジング２００の開放した下側に結合し、前記インバータハウジング２００と接触する面をシールするように形成されるカバー３００と、前記インバータハウジング２００の開放部２４０とカバー３００によって形成された空間に介在され、幅方向に電線貫通孔４４０が形成されて電線５００が貫通して挿入されたコネクタブロック４００と、前記コネクタブロック４００を貫通した電線５００の端部５０１に結合した電線側ターミナル５１０と、を含むことを特徴とする。
【０００９】
上述のインバータ一体型ＢＬＤＣモータにおいて、前記コネクタブロック４００の長さ方向の両面および高さ方向の両面を囲むようにコネクタブロック４００に接合して形成され、電線５００の端部５０１が引き出されたコネクタブロック４００の幅方向の内側面および電線５００の端部５０１に接合して形成されたシール部６００を含み、前記シール部６００によってコネクタブロック４００の高さ方向および長さ方向の周縁とインバータハウジング２００およびカバー３００の内側面とがシールされ、電線貫通孔４４０を貫通して結合する電線５００とコネクタブロック４００とがシールされるように形成されていることが好ましい。
【００１０】
また、前記シール部６００は、前記コネクタブロック４００の長さ方向の両面および高さ方向の両面を囲むようにコネクタブロック４００に接合して形成され、且つ前記コネクタブロック４００の長さおよび幅よりも大きくまたは同じく形成されている第１のシール部６１０と、前記電線５００の端部５０１が引き出されたコネクタブロック４００の幅方向の内側面および電線５００の端部５０１に接合して形成されている第２のシール部６２０と、を含むことができる。
【００１１】
また、前記コネクタブロック４００は、幅方向および長さ方向にフランジ４１５が突出形成され、第１のシール部６１０がフランジ４１５の幅方向の一側面に接合して形成されていることが好ましい。
【００１２】
また、前記フランジ４１５は、幅方向に両側面を連結する連通部４１６が形成されていることが好適である。
【００１３】
また、前記インバータハウジング２００は、内側面に凹状にガイド溝２５０が形成され、前記コネクタブロック４００のフランジ４１５および第１のシール部６１０がガイド溝２５０に挿入されて載置されていることが好ましい。
【００１４】
また、前記インバータハウジング２００が、開放部２４０が形成された長さ方向の両側の縁壁の端部２３２の間にコネクタブロック４００の組立部４１０が挿入されて結合し、前記インバータハウジング２００の縁壁２３０に沿って結合溝２３１が形成され、前記コネクタブロック４００の組立部４１０には結合溝２３１に連結されるシール材塗布溝４１３が形成され、前記カバー３００の縁壁３１０に沿って突出部３１１が形成され、前記突出部３１１が、結合溝２３１およびシール材塗布溝４１３に挿入されて結合していても良い。
【００１５】
また、前記シール部６００は、インサート射出または塗布により形成されるか、Ｏリングにより形成されていることが好ましい。
【００１６】
また、前記結合溝２３１およびシール材塗布溝４１３にはシール材６３０が充填され、前記結合溝２３１と突出部３１１とが、および前記シール材塗布溝４１３と突出部３１１とがシールされていることが好適である。
【００１７】
また、前記コネクタブロック４００は、組立部４１０から幅方向にインバータハウジング２００の内側方向に閉塞板４２０が形成され、且つ前記閉塞板４２０は、電線貫通孔４４０を通して幅方向の内側に引き出された電線５００の端部５０１を囲むように形成されて内側に空間部４３０が形成され、前記閉塞板４２０を通すように電線側ターミナル５１０が結合し、前記空間部４３０において電線５００の端部５０１と電線側ターミナル５１０が結合していることが好ましい。
【００１８】
また、前記コネクタブロック４００の空間部４３０に、充填により第２のシール部６２０が形成されていても良い。
【００１９】
また、前記インバータハウジング２００にはブロック締結部２２０が形成され、前記コネクタブロック４００には結合部４２１が形成され、締結手段４２２によって前記ブロック締結部２２０に結合部４２１が締結され固定されていることが好ましい。
【００２０】
また、前記インバータハウジング２００の内部に設けられたＰＣＢ基板２１０に基板側ターミナル２１１が形成され、前記基板側ターミナル２１１と電線側ターミナル５１０が結合していても良い。
【００２１】
また、前記基板側ターミナル２１１の端部および電線側ターミナル５１０の端部が対向するように上側に折り曲げられ、折り曲げられた折り曲げ部２１２、５１１が互いに面接触して結合していることが好ましい。
【００２２】
また、前記インバータハウジング２００の内部に設けられたＰＣＢ基板２１０に基板側ＰＣＢターミナル２１１ａが形成され、前記モータ１００の内部に設けられたステータ１１０には三相ターミナル１２０が形成され、前記ステータ１１０の三相ターミナル１２０がインバータハウジング２００およびＰＣＢ基板２１０を貫通して、前記基板側ＰＣＢターミナル２１１ａと三相ターミナル１２０が互いに面接触して結合していることが好適である。
【発明の効果】
【００２３】
本発明のインバータ一体型ＢＬＤＣモータは、インバータ部に連結される電線との水密のためにコネクタブロックを形成し、且つ水密構造を形成するための部品を単純化することで、インバータ部とコネクタブロックとのシールおよびコネクタブロックと電線とのシールが容易になるという利点がある。
【００２４】
また、電線とＰＣＢ基板とを連結して結合することが容易となり、組立性が向上するという利点がある。
【図面の簡単な説明】
【００２５】
【図１】従来のインバータ一体型ＢＬＤＣモータの水密構造を示す分解斜視図である。
【図２】本発明のインバータ一体型ＢＬＤＣモータを示す組立斜視図である。
【図３】本発明のインバータ一体型ＢＬＤＣモータを覆した状態の分解斜視図である。
【図４】図３においてコネクタブロックをインバータハウジングに組み付けた組立斜視図である。
【図５】本発明に係るコネクタブロックが組み付けられる部分のインバータハウジングを示す部分斜視図である。
【図６】本発明に係るコネクタブロックに電線および電線側ターミナルが組み付けられ、シール部が形成されることを示す分解斜視図である。
【図７】図６においてシール部が結合して形成されていることを示す斜視図である。
【図８】図７におけるコネクタブロック組立体がインバータハウジングの開放部側に組み付けられた状態を示す斜視図である。
【図９】図７におけるコネクタブロック組立体がインバータハウジングの開放部側に組み付けられた状態を上側から見た平面図である。
【図１０】本発明に係るコネクタブロック組立体がインバータハウジングおよびカバーに組み付けられる前の分解断面図である。
【図１１】本発明に係るコネクタブロック組立体がインバータハウジングおよびカバーに組み付けられた後の組立断面図である。
【図１２】本発明に係るステータの三相ターミナルと基板側ＰＣＢターミナルの結合構造を示す分解斜視図である。
【図１３】本発明に係るステータの三相ターミナルと基板側ＰＣＢターミナルの結合構造を示す組立斜視図である。
【図１４】本発明に係るステータの三相ターミナルと基板側ＰＣＢターミナルの結合構造を示す部分断面図である。
【発明を実施するための形態】
【００２６】
以下、本発明のインバータ一体型ＢＬＤＣモータの実施形態について添付の図面を参照して詳細に説明する。
【００２７】
図２は本実施形態のインバータ一体型ＢＬＤＣモータを示す組立斜視図であり、図３は本実施形態のインバータ一体型ＢＬＤＣモータを覆した状態の分解斜視図であり、図４から図１１は本実施形態に係るインバータハウジング、カバー、コネクタブロック、ターミナルおよびシール部が分解または組み付けられた状態を示す斜視図、平面図および断面図である。
【００２８】
図示したように、本実施形態のインバータ一体型ＢＬＤＣモータ１０００は、モータ１００に一側が結合し、内部が中空形成され他側が開放して形成され、縁壁２３０の一部が開放した開放部２４０が形成され、中空の内部にＰＣＢ基板２１０が設けられるインバータハウジング２００と、インバータハウジング２００の開放した下側に結合し、インバータハウジング２００と接触する面をシールするように形成されるカバー３００と、インバータハウジング２００の開放部２４０とカバー３００によって形成された空間に介在され、幅方向に電線貫通孔４４０が形成され、電線５００が貫通して挿入されたコネクタブロック４００と、コネクタブロック４００を貫通した電線５００の端部５０１に結合した電線側ターミナル５１０と、コネクタブロック４００の長さ方向の両面および高さ方向の両面を囲むようにコネクタブロック４００に接合して形成され、電線５００の端部５０１が引き出されたコネクタブロック４００の幅方向の内側面および電線５００の端部５０１に接合して形成されたシール部６００と、を含み、シール部６００によってコネクタブロック４００の高さ方向および長さ方向の周縁とインバータハウジング２００およびカバー３００の内側面とがシールされ、電線貫通孔４４０を貫通して結合する電線５００とコネクタブロック４００とがシールされるように形成されてもよい。
【００２９】
まず、モータ１００は、ＢＬＤＣモータ（ｂｒｕｓｈｌｅｓｓ  ｄｉｒｅｃｔ  ｃｕｒｒｅｎｔ  ｍｏｔｏｒ）であってもよく、内側に駆動コイルが巻かれたステータが設けられ、外側にケーシング状に覆われ永久磁石が結合したロータが配置され、外側のロータが回転する方式である外転型ＢＬＤＣモータであってもよく、逆に、内側にロータが設けられ、外側にステータが配置され、内側のロータが回転する内転型ＢＬＤＣモータであってもよい。
【００３０】
インバータハウジング２００は、上側がモータ１００に結合し、下側は開放して形成され、内部が中空に形成され、中空の内部にモータ１００の作動のためのＰＣＢ基板２１０が設けられ、ＰＣＢ基板２１０とモータ１００が連結されてもよい。また、インバータハウジング２００には、周縁に沿って下側方向に突出した縁壁２３０が形成され、縁壁２３０の一部が開放した開放部２４０が形成されてもよい。
【００３１】
カバー３００は、インバータハウジング２００と結合して内部に空間を形成し、内部に形成された空間にＰＣＢ基板２１０が設けられてもよい。また、カバー３００は、インバータハウジング２００の開放した下側に結合し、インバータハウジング２００とカバー３００が結合して接触する面がシールされるように形成されてもよい。この際、インバータハウジング２００とカバー３００が結合した状態で、インバータハウジング２００に形成された開放部２４０が開放した状態であってもよい。
【００３２】
コネクタブロック４００は、開放部２４０に配置され、インバータハウジング２００の開放部２４０とカバー３００によって形成された空間に介在されて結合してもよい。すなわち、図示したように、インバータハウジング２００とカバー３００との間にコネクタブロック４００の組立部４１０が介在され、開放部２４０を閉塞するように配置されてもよい。また、コネクタブロック４００の組立部４１０には、電線５００が挿入されて貫通するように電線貫通孔４４０が幅方向に両面を貫通して形成され、電線５００は電源線および通信線を含み複数本であることから複数個の電線貫通孔４４０が形成され得る。
【００３３】
電線側ターミナル５１０は、コネクタブロック４００の組立部４１０に形成された電線貫通孔４４０を通して組立部４１０の幅方向の内側面側に引き出された電線５００の端部５０１に連結されるように結合してもよい。この際、電線側ターミナル５１０は、それぞれの電線に結合するように複数が形成されてもよく、電線５００の端部５０１と電線側ターミナル５１０が重なるようにしてはんだ付けなどで結合してもよい。
【００３４】
シール部６００は、コネクタブロック４００の組立部４１０の長さ方向の両面および高さ方向の両面を囲むように形成され、組立部４１０に接合してもよい。また、シール部６００は、電線貫通孔４４０を通した電線５００の端部５０１が引き出された部分である組立部４１０の幅方向の内側面および電線５００の端部５０１に接合して形成されてもよい。
【００３５】
また、組立部４１０の長さ方向の両面および高さ方向の両面を囲むように形成されたシール部６００により、コネクタブロック４００とインバータハウジング２００の内側面とがシールされ、コネクタブロック４００とカバー３００の内側面とがシールされ得る。また、電線貫通孔４４０を通した電線５００の端部５０１が引き出された部分である組立部４１０の幅方向の内側面および電線５００の端部５０１に接合して形成されたシール部６００により電線貫通孔４４０を貫通して結合する電線５００とコネクタブロック４００とがシールされ得る。
【００３６】
このように、本発明のインバータ一体型ＢＬＤＣモータは、インバータ部に連結される電線との水密のためにコネクタブロックを形成し、且つ水密構造を形成するための部品を単純化することで、インバータ部とコネクタブロックとのシールおよびコネクタブロックと電線とのシールを容易にすることができる。
【００３７】
また、シール部６００は、インサート射出されることで、コネクタブロック４００および電線５００と一体型に形成され得る。
【００３８】
すなわち、コネクタブロック４００の組立部４１０の長さ方向の両面および高さ方向の両面を囲むように形成されるシール部６００と電線貫通孔４４０を通した電線５００の端部５０１が引き出された部分である組立部４１０の幅方向の内側面および電線５００の端部５０１に接合して形成されるシール部６００が、インサート射出によりコネクタブロック４００および電線５００と一体型に形成され得る。一例として、コネクタブロック４００の電線貫通孔４４０に電線５００を挿入し、電線５００の端部５０１が電線貫通孔４４０を通すように組み付けた後、インサート射出によってコネクタブロック４００にシール部６００が一体に形成されるようにしてもよい。この際、電線５００の端部５０１に電線側ターミナル５１０をはんだ付けにより結合した状態でインサート射出を行い、コネクタブロック４００、電線５００および電線側ターミナル５１０が一体に形成されてもよい。
【００３９】
ここで、シール部６００は、上述のインサート射出以外にも様々な方法および形態により形成されてもよく、一例として、シール部６００は、液状やゲル状のシリコンなどを用いてシール部６００が形成されるべき空間にシリコンを塗布または充填した後、硬化させることで、シリコンが充填された部分とシリコンが接触した部分がいずれもシールされ得る。この際、電線貫通孔４４０を貫通するようにコネクタブロック４００に電線５００を組み付けた状態でシリコンが充填されてもよく、電線５００の端部５０１に電線側ターミナル５１０が結合した状態でシリコンが充填されてもよく、電線５００および電線側ターミナル５１０が結合したコネクタブロック４００をインバータハウジング２００に組み付けてからシリコンを充填し、カバー３００を覆ってインバータハウジング２００に結合することで、シール部６００が形成されてもよい。また、モータ１００が下側に配置され、インバータハウジング２００が上側に配置されるようにして、インバータハウジング２００の開放した面を上向きにした後、電線５００、電線側コネクタ５１０およびシール部６００が組み付けられたコネクタブロック４００をインバータハウジング２００の開放部２４０に組み付けた後、上側からカバー３００を覆ってインバータハウジング２００に結合させてもよい。
【００４０】
そうすると、インバータハウジング２００とカバー３００によりコネクタブロック４００の高さ方向の両側面および長さ方向の両側面が囲まれる形に結合し、シール部６００により、インバータハウジング２００とコネクタブロック４００、カバー３００とコネクタブロック４００とがシールされ得る。また、電線貫通孔４４０を貫通して挿入された電線５００とコネクタブロック４００とがシール部６００によってシールされ得る。また、電線貫通孔４４０の内側にもシール部６００を形成する材料が一部充填され、電線５００の外側と電線貫通孔４４０との間にもシール部６００が形成され得る。
【００４１】
また、シール部６００は、コネクタブロック４００の長さ方向の両面および高さ方向の両面を囲むようにコネクタブロック４００に接合して形成され、且つコネクタブロック４００の長さおよび幅よりも大きくまたは同じく形成されている第１のシール部６１０と、電線５００の端部５０１が引き出されたコネクタブロック４００の幅方向の内側面および電線５００の端部５０１に接合して形成されている第２のシール部６２０と、を含んでなってもよい。
【００４２】
すなわち、幅方向にコネクタブロック４００の組立部４１０の一部を囲むように第１のシール部６１０が形成されてもよく、第１のシール部６１０は、組立部４１０の長さ方向の両面および高さ方向の両面を囲むように形成されてもよい。そうすると、第１のシール部６１０は、図示したように、矩形リング状に形成され、内側が組立部４１０に接合してもよく、外側は、インバータハウジング２００およびカバー３００と密着し接触面がシールされてもよい。また、第２のシール部６２０は、電線５００の端部５０１が引き出されたコネクタブロック４００の幅方向の内側面および電線５００の端部５０１に接合して形成されてもよい。そうすると、電線５００と電線貫通孔４４０とがシールされ得る。
【００４３】
また、コネクタブロック４００は、幅方向および長さ方向にフランジ４１５が突出形成され、第１のシール部６１０がフランジ４１５の幅方向の一側面に接合して形成されてもよい。
【００４４】
すなわち、図示したように、コネクタブロック４００は、組立部４１０から長さ方向の両側および幅方向の両側に突出した形のフランジ４１５が形成され、フランジ４１５の幅方向の両面のうちインバータハウジング２００の外部に向かう幅方向の面に第１のシール部６１０が接合して形成されてもよい。
【００４５】
そうすると、フランジ４１５が第１のシール部６１０を支持する役割を果たすことができ、特に、幅方向に第１のシール部６１０に加えられる力に対してフランジ４１５が構造的な剛性を向上させることができる。
【００４６】
また、フランジ４１５には、幅方向に両側面を連結する連通部４１６が形成されてもよい。
【００４７】
すなわち、第１のシール部６１０および第２のシール部６２０は、二重射出によりコネクタブロック４００と一体に形成され得ることから、フランジ４１５の幅方向に両側面を連結する連通部４１６により第１のシール部６１０と第２のシール部６２０が一つに連結された形の一体に形成されてもよい。この際、連通部４１６は、様々な形に形成されてもよく、一例として、図示したように、フランジの高さ方向の上側の一部および下側の一部が削除された形に連通部４１６が形成されてもよく、幅方向にフランジ４１５を貫通するように形成された連通孔の形に形成されてもよい。
【００４８】
また、二重射出のための金型の形も簡単になることができ、コネクタブロック４００にシール部６００がより強固に接合し、シール力が長時間維持され得る。
【００４９】
また、インバータハウジング２００は、内側面に凹状にガイド溝２５０が形成され、コネクタブロック４００のフランジ４１５および第１のシール部６１０がガイド溝２５０に挿入され載置されてもよい。
【００５０】
すなわち、一例として、図示したように、インバータハウジング２００の開放部２４０が形成された部分において、縁壁の端部２３２が長さ方向に一部突出して形成され、段差部２４１が形成され、縁壁の端部２３２から幅方向の内側に離隔して、ガイドリブ２５１がインバータハウジング２００の内側面から突出して形成され、縁壁の端部２３２および段差部２４１とガイドリブ２５１との間にガイド溝２５０が形成されてもよい。この際、ガイド溝２５０は、高さ方向および長さ方向に形成され、図面において、コネクタブロック４００のフランジ４１５および第１のシール部６１０の長さ方向の両側および高さ方向の下側が挿入され載置されてもよい。
【００５１】
そうすると、シール部６００が形成されたコネクタブロック４００を上側からガイド溝２５０に沿ってフランジ４１５および第１のシール部６１０が挿入されるようにし、インバータハウジング２００への組み付けを容易にすることができる。また、これにより、インバータハウジング２００、カバー３００およびコネクタブロック４００の間のシール力が向上することができる。
【００５２】
また、インバータハウジング２００が、開放部２４０が形成された長さ方向の両側の縁壁の端部２３２の間にコネクタブロック４００の組立部４１０が挿入され結合し、前記インバータハウジング２００の縁壁２３０に沿って結合溝２３１が形成され、コネクタブロック４００の組立部４１０には結合溝２３１に連結されるシール材塗布溝４１３が形成され、カバー３００の縁壁３１０に沿って突出部３１１が形成され、突出部３１１が結合溝２３１およびシール材塗布溝４１３に挿入され結合してもよい。
【００５３】
すなわち、インバータハウジング２００とカバー３００が接触する部分と、カバー３００とコネクタブロック４００が接触する部分における結合力およびシール力を向上させるために、インバータハウジング２００の縁壁２３０に沿って上側に結合溝２３１が形成され、コネクタブロック４００の組立部４１０には結合溝２３１に連結されるシール材塗布溝４１３が形成され、カバー３００に形成された突出部３１１が、結合溝２３１およびシール材塗布溝４１３に挿入され結合してもよい。
【００５４】
また、シール部６００は、インサート射出または塗布により形成されてもよく、Ｏリングにより形成されてもよい。
【００５５】
すなわち、シール部６００は、コネクタブロック４００と電線５００を組み付けた後、シールを容易にするためにインサート射出または塗布により一体に形成されてもよい。または、コネクタブロック４００が、インバータハウジング２００およびカバー３００と接する長さ方向の両面と高さ方向の両面をシールするようにコネクタブロック４００を囲む形にＯリングを結合してもよく、コネクタブロック４００と電線５００が接する部分にもＯリングを介在してシールさせてもよい。
【００５６】
また、結合溝２３１およびシール材塗布溝４１３にはシール材６３０が充填され、結合溝２３１と突出部３１１とが、およびシール材塗布溝４１３と突出部３１１とがシールされ得る。
【００５７】
すなわち、結合溝２３１およびシール材塗布溝４１３にはシール材６３０が塗布または挿入された後、カバー３００が結合して確実なシールが行われ得る。ここで、インバータハウジング２００の結合溝２３１とコネクタブロック４００のシール材塗布溝４１３は、断面の形と高さおよび幅が一致するようにして互いに連結されてもよく、シール材６３０を一回に塗布することを容易にすることができる。
【００５８】
また、コネクタブロック４００は、組立部４１０から幅方向にインバータハウジング２００の内側方向に閉塞板４２０が形成され、且つ閉塞板４２０は、電線貫通孔４４０を通して幅方向の内側に引き出された電線５００の端部５０１を囲むように形成され内側に空間部４３０が形成され、閉塞板４２０を通すように電線側ターミナル５１０が結合し、空間部４３０において電線５００の端部５０１と電線側ターミナル５１０が結合してもよい。
【００５９】
すなわち、図示したように、コネクタブロック４００は、組立部４１０から幅方向の内側に閉塞板４２０が形成され、且つ閉塞板４２０は、組立部４１０の長さ方向の両側から幅方向の内側に延長形成され、延長形成された端部が互いに長さ方向に連結されるように「逆コ」状に形成されてもよい。また、組立部４１０と閉塞板４２０によって形成された内側空間である空間部４３０に電線５００の端部５０１が位置してもよく、この際、電線側ターミナル５１０は、組立部４１０と対向するように配置された閉塞板４２０に結合してもよく、電線側ターミナル５１０は、閉塞板４２０を貫通するように結合し、空間部４３０において電線５００の端部５０１と電線側ターミナル５１０の一側が溶接などで結合してもよい。
【００６０】
また、コネクタブロック４００の空間部４３０に、充填により第２のシール部６２０が形成されてもよい。
【００６１】
すなわち、第２のシール部６２０は、電線５００の端部５０１と電線側ターミナル５１０の一側が溶接などにより結合した状態で空間部４３０を充填するように形成され、電線５００の端部５０１と電線側ターミナル５１０の一側および結合した溶接部が、第２のシール部６２０によって囲まれてシールおよび固定されてもよい。
【００６２】
また、インバータハウジング２００にはブロック締結部２２０が形成され、コネクタブロック４００には結合部４２１が形成され、締結手段４２２によりブロック締結部２２０に結合部４２１が締結され、固定されてもよい。
【００６３】
すなわち、図示したように、インバータハウジング２００に雌ねじ山が形成されたブロック締結部２２０が形成され、コネクタブロック４００には貫通孔が形成された結合部４２１が形成され、ボルトのような締結手段４２２を用いてコネクタブロック４００がインバータハウジング２００に強固に固定されるようにすることができる。この際、一例として、結合部４２１は、コネクタブロック４００の閉塞板４２０に形成され、且つ空間部４３０に結合部４２１が配置されてもよく、結合部４２１が長さ方向に中央部に配置され、一つの締結手段４２２を用いてインバータハウジング２００にコネクタブロック４００が固定されてもよい。ここで、結合部４２１が形成された部分には第２のシール部６２０が存在しないように形成されてもよい。
【００６４】
また、インバータハウジング２００の内部に設けられたＰＣＢ基板２１０に基板側ターミナル２１１が形成され、基板側ターミナル２１１と電線側ターミナル５１０が結合されてもよい。
【００６５】
すなわち、インバータハウジング２００の内部に設けられたＰＣＢ基板２１０には、電線側ターミナル５１０に対応して基板側ターミナル２１１が形成されてもよく、これにより、電線５００、電線側ターミナル５１０およびシール部６００が一体に結合して形成されたコネクタブロック４００をインバータハウジング２００に組み付けると、基板側ターミナル２１１と電線側ターミナル５１０が重なるか近接して対向するように配置され、はんだ付けなどで結合され得る。
【００６６】
この際、基板側ターミナル２１１の端部および電線側ターミナル５１０の端部が対向するように上側に折り曲げられ、折り曲げられた折り曲げ部２１２、５１１が互いに面接触して結合してもよい。
【００６７】
すなわち、図示したように、基板側ターミナル２１１の端部および電線側ターミナル５１０の端部が対向するように上側に折り曲げられて形成されることで、ターミナルの弾性によって基板側ターミナル２１１と電線側ターミナル５１０が互いに面接触することができる。また、はんだ付け、レーザ溶接または電気抵抗溶接などを用いて折り曲げ部２１２、５１１を容易に結合することができ、組立性が向上することができる。
【００６８】
また、インバータハウジング２００の内部に設けられたＰＣＢ基板２１０に基板側ＰＣＢターミナル２１１ａが形成され、モータ１００の内部に設けられたステータ１１０には三相ターミナル１２０が形成され、ステータ１１０の三相ターミナル１２０がインバータハウジング２００およびＰＣＢ基板２１０を貫通し、基板側ＰＣＢターミナル２１１ａと三相ターミナル１２０が互いに面接触して結合することができる。
【００６９】
すなわち、図１２から図１４のように、インバータハウジング２００に結合したモータ１００の内部には駆動コイルが巻かれたステータ１１０が設けられていることから、ステータ１１０には三相のターミナル１２０が突出した形に形成され得る。そうすると、インバータハウジング２００の内部に設けられたＰＣＢ基板２１０には、上側に基板側ＰＣＢターミナル２１１ａが突出して形成されてもよい。また、ステータ１１０の三相ターミナル１２０がインバータハウジング２００およびＰＣＢ基板２１０を貫通し、基板側ＰＣＢターミナル２１１ａと三相ターミナル１２０が互いに容易に面接触して結合することができる。この際、三相ターミナル１２０がインバータハウジング２００を通す部分は、シール材などでシールされてもよい。
【００７０】
また、基板側ＰＣＢターミナル２１１ａは、ＰＣＢ基板２１０から上側に延長形成され、且つ上端部がＰＣＢ基板２１０と並行な方向に折り曲げられてから、また上側に折り曲げられることで、折り曲げ部２１２ａが形成されてもよく、折り曲げ部２１２ａと三相ターミナル１２０が互いに面接触されてもよい。
【００７１】
すなわち、図示したように、基板側ＰＣＢターミナル２１１ａは、水平方向である幅方向および長さ方向の平面に沿って水平に形成された端部が上側に折り曲げられて折り曲げ部２１２ａが形成されてもよく、三相ターミナル１２０は、折り曲げ部２１２ａと面接触され得る。そうすると、ターミナルの弾性によって面接触が容易となり、結合が容易となり得る。
【００７２】
本発明は、上述の実施形態に限定されず、適用範囲が様々であることは言うまでも無く、請求の範囲で請求する本発明の要旨から逸脱することなく、当該本発明が属する分野において通常の知識を有する者であれば、誰でも様々な変形実施が可能であることは言うまでもない。
【符号の説明】
【００７３】
１０００  インバータ一体型ＢＬＤＣモータ
１００  モータ
１１０  ステータ
１２０  三相ターミナル
２００  インバータハウジング
２１０  ＰＣＢ基板
２１１  基板側ターミナル
２１１ａ  基板側ＰＣＢターミナル
２１２ａ  折り曲げ部
２１２  折り曲げ部
２２０  ブロック締結部
２３０  縁壁
２３１  結合溝
２３２  縁壁の端部
２４０  開放部
２４１  段差部
２５０  ガイド溝
２５１  ガイドリブ
３００  カバー
３１０  縁壁
３１１  突出部
４００  コネクタブロック
４１０  組立部
４１３  シール材塗布溝
４１５  フランジ
４１６  連通部
４２０  閉塞板
４２１  結合部
４２２  締結手段
４３０  空間部
４４０  電線貫通孔
５００  電線
５０１  端部
５１０  電線側ターミナル
５１１  折り曲げ部
６００  シール部
６１０  第１のシール部
６２０  第２のシール部
６３０  シール材
【図１】
2018027005.tif 000003
【図２】
2018027005.tif 000004
【図３】
2018027005.tif 000005
【図４】
2018027005.tif 000006
【図５】
2018027005.tif 000007
【図６】
2018027005.tif 000008
【図７】
2018027005.tif 000009
【図８】
2018027005.tif 000010
【図９】
2018027005.tif 000011
【図１０】
2018027005.tif 000012
【図１１】
2018027005.tif 000013
【図１２】
2018027005.tif 000014
【図１３】
2018027005.tif 000015
【図１４】
2018027005.tif 000016